(57)【要約】【課題】天井としての美感に優れた折板屋根を提供する。【解決手段】下葺板（３０）は、平面形状である下面と、タイトフレーム（２０）に連結するための連結部とを有しており、下葺板（３０）がタイトフレーム（２０）に連結することによって、複数の下葺板（３０）の下面が一体となって平坦な底面を形成している。【選択図】図１
2016089352.tif 000002
【特許請求の範囲】
【請求項１】
上葺折板と、
梁の上に配置され、上記上葺折板を支持するタイトフレームと、
上記上葺折板に対向して設けられた複数の下葺板と、を備えており、
下葺板は、平面形状である下面を有する本体部と、上記タイトフレームに連結するための連結部とを有しており、
上記下葺板が上記タイトフレームに連結することによって、複数の上記下葺板の上記下面が一体となって平坦な底面を形成していることを特徴とする折板屋根。
【請求項２】
互いに隣り合う上記下葺板が上記タイトフレームに連結することによって、当該互いに隣り合う下葺板の上記本体部の端部が互いに重なり合うことを特徴とする請求項１に記載の折板屋根。
【請求項３】
上記下葺板として、互いに隣り合う第１下葺板と第２下葺板とを備えており、
上記第２下葺板は、下面が上記第１下葺板に重なる第２重畳部と、下面が上記第１下葺板に重ならない第２非重畳部とを備えており、
上記第２重畳部と上記第２非重畳部との間には、上記第２重畳部に重なる部分の上記第１下葺板の厚さに対応する段差が設けられていることを特徴とする請求項２に記載の折板屋根。
【請求項４】
上記タイトフレームは、側方に突出した突出部を備えており、
上記連結部は、上記突出部に掛止することを特徴とする請求項１〜３の何れか１項に記載の折板屋根。
【請求項５】
上記タイトフレームは、
基底部と、
上記基底部から鉛直方向に伸びており、上記上葺折板を支持する支持部を有する主軸部と、
上記基底部から仰角方向に伸びており、上記基底部と上記主軸部とを連結する補強部と、を備えていることを特徴とする請求項１〜４の何れか１項に記載の折板屋根。
【請求項６】
少なくとも２つの上記補強部を備えており、
上記２つの補強部は、それぞれ、上記主軸部を挟んで上記基底部上の異なる２点から仰角方向に伸びており、
上記２つの補強部は、上記主軸部を挟んで互いに締結されていることを特徴とする請求項５に記載の折板屋根。
【請求項７】
上葺折板と、梁の上に配置され、上記上葺折板を支持するタイトフレームと、を備えている折板屋根に用いられる下葺板であって、
板状の本体部と、上記タイトフレームに連結するための連結部とを有しており、
上記本体部は、平面形状の下面を有していることを特徴とする下葺板。
【請求項８】
上記下面には、上記本体部における一方の端部に沿って段差が設けられており、
上記段差は、上記本体部における他方の端部の厚さに対応することを特徴とする請求項７に記載の下葺板。
【請求項９】
上記連結部として、上記タイトフレームの側方に突出した突出部に掛止するための第１連結部および第２連結部を備えており、
上記第１連結部は、上記本体部の一方の端部から上面側に延び、先端が上記本体部の他方の端部側とは反対側に屈曲した鉤形状を有しており、
上記第２連結部は、上記本体部の他方の端部から上面側に延び、先端が上記本体部の一方の端部側に屈曲した鉤形状を有しており、
上記第２連結部には、上記突出部よりも大きい切り欠きが設けられていることを特徴とする請求項７または８に記載の下葺板。
【請求項１０】
上記本体部の上面には、断熱板が張り付けられていることを特徴とする請求項７〜９の何れか１項に記載の下葺板。
【請求項１１】
折板屋根の折板を支持するタイトフレームであって、
基底部と、
上記基底部の底面に略垂直な方向に伸びており、葺折板を支持する支持部を有する主軸部と、
上記基底部から仰角方向に伸びており、上記基底部と上記主軸部とを連結する補強部と、を備えていることを特徴とするタイトフレーム。
【請求項１２】
少なくとも２つの上記補強部を備えており、
上記２つの補強部は、それぞれ、上記主軸部を挟んで上記基底部における異なる２点から仰角方向に伸びており、
上記２つの補強部は、上記主軸部を挟んで互いに締結されていることを特徴とする請求項１１に記載のタイトフレーム。
【発明の詳細な説明】
【技術分野】
【０００１】
本発明は、折板屋根、下葺板、及びタイトフレームに関する。
【背景技術】
【０００２】
従来、化学工場、食品工場、保冷工場、倉庫、紡績工場、製紙工場、および体育館等の折板屋根として、上下の折板である上葺折板および下葺折板の間に断熱材を挟み込んだ二重構造の折板屋根が知られている。
【０００３】
図１１は、従来の二重構造の折板屋根を示す斜視図である。図１１に示すように、従来の折板屋根２００は、上葺折板２０１と下葺折板２０２の二重構造となっている。図示は省略するが、互いに隣接する下葺折板２０２は、タイトフレームに固定された吊子を介して連結され、互いに隣接する上葺折板２０１は、下葺折板２０２の上に設けられた吊子支持部に固定された吊子を介して連結される。
【０００４】
上葺折板２０１と下葺折板２０２との間の空間には、グラスウール等の断熱材が充填される。これにより、折板屋根２００は断熱効果を有する。
【発明の概要】
【発明が解決しようとする課題】
【０００５】
しかしながら、上述のような折板屋根２００では、建築構造物の内部から天井を見上げたとき、下葺折板２０２の山部および谷部が視認されてしまうため、建築構造物の天井としては美感が低い。別途吊り天井を施工することも考えられるが、この場合、鉄骨下地よりも下方に吊り天井を施工することとなるため、政令上、厳しい制約が課される。
【０００６】
また、天井一体型の断熱折板屋根も知られている。この断熱折板屋根は、鉄骨下地の上にジョイナー（支持部材）を配置し、ジョイナーの上に平坦な断熱板を敷き込むものである。平坦な断熱材を用いることによって、下葺折板を葺いた場合とは異なり、底面に山部および谷部は視認されない。しかしながら、天井にジョイナーと断熱板との境目が現れてしまう。
【０００７】
また、従来の折板屋根では、屋根に過度の荷重が加わった場合、タイトフレームが荷重に耐え切れず破壊されるおそれがある。そのため、豪雪地域における折板屋根に用いるタイトフレームとしては、従来のタイトフレームでは強度が不十分である。
【０００８】
そこで、本発明は上記の課題に鑑みなされたものであって、その目的は、天井としての美感に優れた折板屋根を提供することにある。また、本発明の他の目的は、高強度のタイトフレームを提供することにある。
【課題を解決するための手段】
【０００９】
上記の課題を解決するために、本発明の折板屋根は、上葺折板と、梁の上に配置され、上記上葺折板を支持するタイトフレームと、上記上葺折板に対向して設けられた複数の下葺板と、を備えており、下葺板は、平面形状である下面を有する本体部と、上記タイトフレームに連結するための連結部とを有しており、上記下葺板が上記タイトフレームに連結することによって、複数の上記下葺板の上記下面が一体となって平坦な底面を形成していることを特徴とする。
【００１０】
上記の構成によれば、折板屋根の底面は、平面形状である下葺板の下面よって構成されているため、平坦（フラット）である。そのため、建築構造物の内部から折板屋根の底面を見たときに、別途吊り天井を施工したかのように見栄えが良く美感に優れている。
【００１１】
また、従来の二重断熱折板屋根では、２つの折板の間に断熱材を設ける構成であった。これに対して、本発明の折板屋根では、下葺板は平面形状の本体部を有しており、折板ではない。
【００１２】
そのため、上葺折板と下葺板との間に断熱材を設ける場合、ほぼ平坦に断熱材を配置すればよい。したがって、上葺折板と下葺板との間を充填させるのに必要な断熱材の量は、図１１に示すような従来の折板屋根に必要な断熱材の量と比べて少なく、その結果、コストを低減することができる。
【００１３】
互いに隣り合う上記下葺板が上記タイトフレームに連結することによって、当該互いに隣り合う下葺板の上記本体部の端部が互いに重なり合う構成であってもよい。
【００１４】
上記の構成によれば、互いに隣り合う下葺板の下面の一部が重なり合っているため、互いに隣り合う下葺板と下葺板との間に隙間が形成されない。そのため、建築構造物の内部から折板屋根の底面を見たときに、別途吊り天井を施工したかのように見栄えが良く美感に優れている。
【００１５】
上記下葺板として、互いに隣り合う第１下葺板と第２下葺板とを備えており、上記第２下葺板は、下面が上記第１下葺板に重なる第２重畳部と、下面が上記第１下葺板に重ならない第２非重畳部とを備えており、上記第２重畳部と上記第２非重畳部との間には、上記第２重畳部に重なる部分の上記第１下葺板の厚さに対応する段差が設けられている構成であってもよい。
【００１６】
上記の構成によれば、第２下葺板の下面には、第１下葺板の厚さに対応する段差が設けられているため、第１下葺板と第２下葺板とを重ね合せた場合、第２重畳部の下面と第１下葺板の下面とが略同一の高さとなる。これにより、第１下葺板と第２下葺板とが同一平面を形成しているように視認される。その結果、互いに隣接する下葺板同士の境界が視認され難く、建築構造物の内部から折板屋根の底面を見たときの美感をさらに優れたものとすることができる。
【００１７】
上記タイトフレームは、側方に突出した突出部を備えており、上記連結部は、上記突出部に掛止する構成であってもよい。
【００１８】
上記の構成によれば、簡易な構成により、下葺板をタイトフレームに連結することができる。
【００１９】
上記タイトフレームは、基底部と、上記基底部から鉛直方向に伸びており、上記上葺折板を支持する支持部を有する主軸部と、上記基底部から仰角方向に伸びており、上記基底部と上記主軸部とを連結する補強部と、を備えている構成であってもよい。
【００２０】
上記の構成によれば、上方からの圧力に対する耐久性が向上する。これにより、積雪などにより上葺折板を介して支持部に加わる荷重が大きくなった場合であっても、タイトフレームは破壊されずに上葺折板を支持することができる。
【００２１】
少なくとも２つの上記補強部を備えており、上記２つの補強部は、それぞれ、上記主軸部を挟んで上記基底部上の異なる２点から仰角方向に伸びており、上記２つの補強部は、上記主軸部を挟んで互いに締結されている構成であってもよい。
【００２２】
上記の構成によれば、上方から支持部に加わる圧力に対する耐久性がさらに向上する。
【００２３】
また、上記の課題を解決するために、本発明の下葺板は、上葺折板と、梁の上に配置され、上記上葺折板を支持するタイトフレームと、を備えている折板屋根に用いられる下葺板であって、板状の本体部と、上記タイトフレームに連結するための連結部とを有しており、上記本体部は、平面形状の下面を有していることを特徴とする。
【００２４】
上記の構成によれば、平面形状の下面を有する下葺板を用いることによって、底面が平坦な折板屋根を構成することができる。これにより、建築構造物の内部から折板屋根の底面を見たときに、別途吊り天井を施工したかのように見栄えが良く美感に優れた折板屋根を構成することができる。
【００２５】
また、平面形状の下面を有する下葺板を用いて二重構造の折板屋根を構成することによって、上葺折板と下葺板との間に断熱材を充填させる場合、従来の二重断熱折板屋根に比べて断熱材の使用量を低減することができ、その結果、コストを低減することができる。
【００２６】
上記下面には、上記本体部における一方の端部に沿って段差が設けられており、上記段差は、上記本体部における他方の端部の厚さに対応する構成であってもよい。
【００２７】
上記の構成によれば、複数の下葺板を互いに重ねあわせた場合に、複数の下葺板の下面が互いに略同一の高さとなる。これにより、複数の下葺板の下面が同一平面を形成しているように視認される。その結果、互いに隣接する下葺板同士の境界が視認され難く、建築構造物の内部から折板屋根の底面を見たときの美感をさらに優れたものとすることができる。
【００２８】
上記連結部として、上記タイトフレームの側方に突出した突出部に掛止するための第１連結部および第２連結部を備えており、上記第１連結部は、上記本体部の一方の端部から上面側に延び、先端が上記本体部の他方の端部側とは反対側に屈曲した鉤形状を有しており、上記第２連結部は、上記本体部の他方の端部から上面側に延び、先端が上記本体部の一方の端部側に屈曲した鉤形状を有しており、上記第２連結部には、上記突出部よりも大きい切り欠きが設けられている構成であってもよい。
【００２９】
上記の構成によれば、第１連結部は、先端が本体部の他方の端部と反対側に屈曲した鉤形状を有しており、第２連結部は、先端が本体部の一方の端部側に屈曲した鉤形状を有している。そのため、下葺板の第２連結部の上に他の下葺板の第１連結部を重ね合わせるようにして複数の下葺板を葺いたとき、下葺板の第２連結部および他の下葺板の第１連結部は、先端が互いに同一方向に屈曲している。これにより、下葺板の第２連結部と、他の下葺板の第１連結部とを、互いに隙間なく重ね合わせることができる。
【００３０】
ここで、第２連結部は、先端が本体部の一方の端部側（すなわち、内側）に屈曲した鉤形状を有している。そのため、第２連結部をタイトフレームの突出部に掛止するためには、突出部を第２連結部の内側に相対移動させる必要がある。
【００３１】
そのために、例えば、下葺板をタイトフレームに対して下方に大きく相対移動させることによって、突出部を、第２連結部の上方を越えて第２連結部の内側に相対移動させることが考えられる。しかしながら、通常、タイトフレームは梁の上に設けられており、この梁が邪魔になり、突出部が第２連結部の上方を越えるよう下葺板をタイトフレームに対して下方に大きく相対移動させることは容易ではない。そのため、第２連結部を突出部に掛止させることは容易ではない。
【００３２】
これに対して、本発明の下葺板の第２連結部には、突出部よりも大きい切り欠きが設けられているため、突出部は切り欠きをくぐり抜けることができる。そのため、下葺板をタイトフレームに対して大きく下方に相対移動させることなく、突出部を、切り欠きを通して第２連結部の外側から内側へ相対移動させることができる。
【００３３】
これにより、容易に第２連結部を突出部に掛止させ、下葺板をタイトフレームに連結することができる。
【００３４】
上記本体部の上面には、断熱板が張り付けられている構成であってもよい。
【００３５】
上記の構成によれば、予め本体部の上面に断熱板が設けられているため、各下葺板の連結部と連結部とを重ねて下葺板を葺くことによって、折板屋根に断熱効果を付与することができる。そのため、上葺折板と下葺板との間に断熱材を充填する工程を省略することができ、作業性を向上させることができる。
【００３６】
また、上記の課題を解決するために、本発明のタイトフレームは、折板屋根の折板を支持するタイトフレームであって、基底部と、上記基底部の底面に略垂直な方向に伸びており、葺折板を支持する支持部を有する主軸部と、上記基底部から仰角方向に伸びており、上記基底部と上記主軸部とを連結する補強部と、を備えていることを特徴とする。
【００３７】
上記の構成によれば、タイトフレームを折板屋根に用いた場合、上方からの圧力に対する折板屋根の耐久性が向上する。これにより、積雪などにより上葺折板を介して支持部に加わる荷重が大きくなった場合であっても、タイトフレームは破壊されずに上葺折板を支持することができる。
【００３８】
少なくとも２つの上記補強部を備えており、上記２つの補強部は、それぞれ、上記主軸部を挟んで上記基底部における異なる２点から仰角方向に伸びており、上記２つの補強部は、上記主軸部を挟んで互いに締結されている構成であってもよい。
【００３９】
上記の構成によれば、上方から支持部に加わる圧力に対する耐久性がさらに向上する。
【発明の効果】
【００４０】
本発明は、天井としての美感が高く、低コストの折板屋根を提供することができる。また、高強度のタイトフレームを提供することができる。
【図面の簡単な説明】
【００４１】
【図１】本発明の実施形態１に係る折板屋根の断面図である。
【図２】タイトフレームの構成を示す概略図であり、（ａ）は正面図であり、（ｂ）は側面図である。
【図３】下葺板を葺く工程を示す折板屋根の一部の斜視図である。
【図４】折板屋根の断面図であり、（ａ）は上葺折板と下葺板との間に断熱材を充填した状態を示す断面図であり、（ｂ）は（ａ）の枠囲み部Ｃの拡大図である。
【図５】下葺板の構造を示す正面図である。
【図６】折板屋根の伏せ図であり、（ａ）は天井伏せ図であり、（ｂ）は屋根伏せ図である。
【図７】本発明の実施形態２に係る折板屋根のタイトフレームの構成を示す概略図であり、（ａ）は正面図であり、（ｂ）は側面図である。
【図８】本発明の実施形態３に係る下葺板の斜視図である。
【図９】（ａ）〜（ｄ）は、下葺板を葺く工程を説明するための下葺板の正面図である。
【図１０】本発明の実施形態４に係る下葺板の構造を示す正面図である。
【図１１】従来の二重構造の折板屋根を示す斜視図である。
【発明を実施するための形態】
【００４２】
〔実施形態１〕
以下、本発明の実施の形態について、図１〜図６に基づいて説明すれば、以下のとおりである。
【００４３】
図１は、本実施形態の折板屋根１００の断面図である。図１に示すように、折板屋根１００は、上葺折板１０と、タイトフレーム２０と、上葺折板１０に対向して設けられた下葺板３０とを備えている。折板屋根１００は、二重折板構造を有している。後述するように、上葺折板１０と下葺板３０との間には、グラスウール等の断熱材４０を充填してもよい。
【００４４】
タイトフレーム２０は鉄骨下地５０（梁）の上に配置されている。タイトフレーム２０は、鉄骨下地５０の上に溶接されていてもよいし、ボルト締めされていてもよい。タイトフレーム２０には、吊子２１が固定されている。折板屋根１００は、複数の上葺折板１０を備えており、隣り合う上葺折板１０同士は吊子２１を介してハゼ締めされている。
【００４５】
＜タイトフレーム＞
図２は、タイトフレーム２０の構成を示す概略図であり、（ａ）は正面図であり、（ｂ）は側面図である。
【００４６】
図２の（ａ）に示すように、タイトフレーム２０は、基底部２２から鉛直方向（基底部２２の底面に垂直な方向）に伸びる主軸部２３と、外側から主軸部２３を挟むように設けられた２本の補強部２４とを備えている。
【００４７】
また、図２の（ｂ）に示すように、タイトフレーム２０は、主軸部２３から両側の側方（鉄骨下地５０に直交する方向）に突出した突出部２７を備えている。突出部２７は、平板形状を有している。
【００４８】
主軸部２３は、２本の鉄鋼部材からなり、その上端部において折れ曲がっており、上葺折板１０を支持するための支持部２５を構成している。
【００４９】
補強部２４は、基底部２２上の異なる２点から仰角方向に伸びており、基底部２２と主軸部２３とを連結している。これにより、基底部２２と２本の補強部２４とによって、略三角形状が形成されている。
【００５０】
２本の補強部２４は、締結部２６において、主軸部２３を挟んで互いに締結されている。締結方法は、例えば、加締め、ボルト締め等を適用することができる。
【００５１】
上記のようなタイトフレーム２０の構成により、上方からの圧力に対する耐久性が向上する。そのため、積雪などにより上葺折板１０を介して支持部２５に加わる荷重が大きくなった場合であっても、タイトフレーム２０は破壊されずに上葺折板１０を支持することができる。
【００５２】
なお、本実施形態の説明として、タイトフレーム２０を二重折板の折板屋根１００に適用した場合について説明するが、タイトフレーム２０の用途はこれに限られない。主軸部２３と補強部２４とを備えたタイトフレーム２０は、例えば、一重折板の折板屋根にも適用することもできる。なお、この場合、突出部２７は不要となる。
【００５３】
＜下葺板＞
図３は、下葺板３０を葺く工程を示す折板屋根１００の一部の斜視図である。
【００５４】
図３に示すように、下葺板３０は、隣り合う２つのタイトフレーム２０の間隔に対応する幅を有する。また、下葺板３０は、隣り合う２つの鉄骨下地５０の間隔に対応する長さを有する。すなわち、１枚の下葺板３０は、隣り合う２つのタイトフレーム２０と、隣り合う鉄骨下地５０とによって区画される領域を葺くように設けられている。
【００５５】
図４は、本実施形態の折板屋根１００の断面図であり、（ａ）は上葺折板１０と下葺板３０との間に断熱材４０を充填した状態を示す断面図であり、（ｂ）は（ａ）の枠囲み部Ｃの拡大図である。なお、図４では、説明のため、タイトフレーム２０を破線で図示している。
【００５６】
図５は、下葺板３０の構造を示す正面図である。
【００５７】
折板屋根１００は、複数の下葺板３０を備えており、互いに隣り合う下葺板３０は、一部が重なり合っている。以下では、下葺板３０Ａ（第１下葺板）と、下葺板３０Ａに隣接する下葺板３０Ｂ（第２下葺板）とを例に挙げて、下葺板３０の詳細な構成について説明する。
【００５８】
図５に示すように、下葺板３０Ａは、平面形状の下面を有する板状の本体部３１Ａと、２つの連結部３２Ａとを備えている。下葺板３０Ｂは、平面形状の下面を有する本体部３１Ｂと２つの連結部３２Ｂとを備えている。連結部３２Ａおよび連結部３２Ｂがタイトフレーム２０の突出部２７に掛止されることによって、下葺板３０Ａおよび下葺板３０Ｂはタイトフレーム２０に連結される。
【００５９】
下葺板３０Ａの本体部３１Ａは、上面が下葺板３０Ｂに重なる重畳部３３Ａと、上面が下葺板３０Ｂに重ならない非重畳部３４Ａとを有している。重畳部３３Ａは、本体部３１Ａの端部に設けられている。
【００６０】
また、下葺板３０Ｂの本体部３１Ｂは、下面が下葺板３０Ａに重なる重畳部３３Ｂ（第２重畳部）と、下面が下葺板３０Ａに重ならない非重畳部３４Ｂ（第２非重畳部）とを有している。
【００６１】
図５の例では、下葺板３０Ａと下葺板３０Ｂとは、重畳部３３Ｂが重畳部３３Ａの上に重なるように設けられる。
【００６２】
図４の（ｂ）に示すように、連結部３２Ａおよび連結部３２Ｂは、互いに重なった状態で、タイトフレーム２０の突出部２７に連結する。連結部３２Ａと連結部３２Ｂとの間の隙間３６にホットメルトを塗布することによって、下葺板３０Ａと下葺板３０Ｂとを接着してもよい。これにより、折板屋根１００を気密工法とすることができる。
【００６３】
図４の（ｂ）および図５に示すように、重畳部３３Ｂと非重畳部３４Ｂとの間には、段差３５Ｂが設けられている。段差３５Ｂは、重畳部３３Ｂに重なる部分の下葺板３０Ａの厚さに対応する高さを有する。すなわち、段差３５Ｂは、本体部３１Ｂにおける一方の端部に沿って設けられており、段差３５Ｂは、本体部３１Ｂにおける他方の端部の厚さに対応する。
【００６４】
これにより、連結部３２Ａおよび連結部３２Ｂをタイトフレーム２０の突出部２７に連結させたとき、非重畳部３４Ｂの下面と、重畳部３３Ａの下面とは、略同一の高さとなる。これにより、本体部３１Ａの下面および本体部３１Ｂの下面が一体となって、下葺板３０は、折板屋根１００のフラットな底面を構成する。なお、下葺板３０の下面は、鉄骨下地５０の底面よりも上方に位置する。
【００６５】
また、図４の（ａ）に示すように、本実施形態の折板屋根１００では、下葺板３０は、連結部３２を有しているが全体的に平坦な形状であるため、ほぼ平坦に断熱材４０を配置すればよい。
【００６６】
そのため、上葺折板１０と下葺板３０との間を充填するために必要な断熱材４０の量は、図１１に示すような二重折板屋根に必要な断熱材の量と比べて少ない。その結果、折板屋根１００は、製造コストを低減することができる。
【００６７】
なお、上記の説明では、下葺板３０Ａの本体部３１Ａと下葺板３０Ｂの本体部３１Ｂとが互いに重なり合っているとしたが、本発明はこれに限られない。少なくとも、複数の下葺板３０の下面が一体となって平坦な底面を形成していればよく、例えば、下葺板３０Ａと下葺板３０Ｂとが重なり合わずとも、隙間なく近接して配置されていればよい。
【００６８】
＜天井＞
図６は、本実施形態の折板屋根１００の伏せ図であり、（ａ）は天井伏せ図であり、（ｂ）は屋根伏せ図である。
【００６９】
折板屋根１００には上葺折板１０が葺かれているため、図６の（ｂ）に示すように、折板屋根１００の上面には、山部１２と谷部１３とが交互に配される。
【００７０】
一方で、折板屋根１００には下葺板３０が葺かれており、折板屋根１００の底面は下葺板３０の下面によって構成されているため、山部と谷部は配されておらず、平坦である。
【００７１】
また、互いに隣り合う下葺板３０の一部が重なり合っているため、互いに隣り合う下葺板３０同士の間には隙間が形成されない。
【００７２】
さらに、下葺板３０の非重畳部３４の下面と、隣り合う下葺板３０の重畳部３３および非重畳部３４の下面とが略同一の高さとなるため、隣り合う下葺板３０同士の下面が同一平面を形成しているように視認される。図６の（ａ）では、説明のために、隣り合う下葺板３０同士の境界線を図示しているが、実際には、下葺板３０同士の境界は視認され難く、目立たない。さらに、例えば、下葺板３０として、木目調の柄を有するものを用いることによって、下葺板３０同士の境界をさらに視認され難くすることができる。
【００７３】
以上のように、本実施形態の折板屋根１００によれば、鉄骨下地５０の下側に吊り天井を設けることなく、建築構造物の内部から天井を見たときの見栄えを良くすることができる。
【００７４】
〔実施形態２〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００７５】
図７は、本実施形態のタイトフレーム１２０の構成を示す概略図であり、（ａ）は正面図であり、（ｂ）は側面図である。
【００７６】
実施形態１の説明では、タイトフレームとして、補強部２４が設けられたタイトフレーム２０を例示したが、本実施形態のタイトフレーム１２０は、補強部２４が設けられていない。
【００７７】
一方で、タイトフレーム１２０は、実施形態１のタイトフレーム２０と同様に、突出部２７を有している。
【００７８】
タイトフレーム１２０のように、補強部２４を有していなくても、突出部２７を有していることにより、下葺板３０を連結することができる。
【００７９】
そのため、強度を必要としない場合には、実施形態１のタイトフレーム２０に代えて、タイトフレーム１２０を用いてもよい。
【００８０】
〔実施形態３〕
本発明の他の実施形態について、図８〜９に基づいて説明すれば、以下のとおりである。なお、説明の便宜上、前記実施形態にて説明した部材と同じ機能を有する部材については、同じ符号を付記し、その説明を省略する。
【００８１】
図８は、本実施形態に係る下葺板１３０の斜視図である。
【００８２】
＜連結部＞
本実施形態の下葺板１３０は、１枚の板材を曲げ加工することによって、本体部３１と連結部３２（第１連結部）と連結部１３２（第２連結部）とを構成している。連結部３２は、本体部３１の一方の端部から上面側に略垂直に延びており、連結部１３２は、上記一方の端部に対向する他方の端部から上面側に略垂直に延びている。
【００８３】
より具体的には、下葺板１３０の本体部３１は、下面が他の下葺板１３０に重なる重畳部３３と、上面が他の下葺板１３０に重なる重畳部３７と、他の下葺板１３０に重ならない非重畳部３４とを有しており、連結部１３２は、本体部３１の上面において、重畳部３７と非重畳部３４との境界部から延びている。すなわち、連結部１３２は、上記本体部３１の他方の端部から、段差３５と連結部３２との間の距離と同等の間隔を空けて設けられている。
【００８４】
上記一方の端部に垂直な方向に下葺板１３０を切断したときの断面において、連結部３２は、先端が他方の端部とは反対側に屈曲した鉤形状を有しており、連結部１３２は、先端が一方の端部側に屈曲した鉤形状を有している。なお、連結部３２の最先端部３９および連結部１３２の最先端部１３９は、鉤形状の内部に突出部２７を導入し易くするために、鉤形状の外側に折れ曲がっている。
【００８５】
上記の構成によれば、下葺板１３０の連結部１３２に、他の下葺板１３０の連結部３２を上から重ね合わせたとき、下葺板１３０の連結部１３２および他の下葺板１３０の連結部３２は、先端が互いに同一方向に屈曲している。そのため、連結部１３２と連結部３２とを、互いに隙間なく重ね合わせた状態で、タイトフレーム２０の突出部２７に掛止することができる。
【００８６】
＜切り欠き＞
また、連結部１３２は、両端に切り欠き３８を有している。切り欠き３８の大きさは、連結部１３２が掛止するタイトフレーム２０の突出部２７の大きさよりも大きい。
【００８７】
ここで、連結部３２の先端部の鉤形状は、先端が本体部３１の他方の端部側とは反対側（すなわち、外側）に向けて開口しており、連結部１３２の先端部の鉤形状は、先端が本体部３１の一方の端部側（すなわち、内側）に向けて開口している。そのため、連結部１３２をタイトフレーム２０の突出部２７に掛止するためには、突出部２７を連結部１３２の内側に相対移動させる必要がある。
【００８８】
実施形態１の下葺板３０の場合、図３に示すように、連結部１３２をタイトフレーム２０の突出部２７に掛止するために下葺板３０をタイトフレームの上方から近づくよう相対移動させた場合、本体部３１が邪魔になり、突出部２７を連結部１３２の内側に相対移動させることは容易ではない。また、例えば、下葺板１３０をタイトフレーム２０に対して下方に大きく相対移動させることによって、突出部２７を、連結部１３２の上方を越えて連結部１３２の内側に相対移動させることも考えられるが、梁５０が邪魔になり、下葺板１３０をタイトフレーム２０に対して下方に大きく相対移動させることは容易ではない。そのため、連結部１３２を突出部２７に掛止させることは容易ではない。
【００８９】
これに対して、下葺板１３０の連結部１３２に切り欠き３８を設けることによって、突出部２７は切り欠き３８をくぐり抜けることができる。そのため、突出部２７を、切り欠き３８を介して連結部１３２の外側から内側へ相対移動させることができる。以下、下葺板１３０を葺く工程について説明する。
【００９０】
図９は、下葺板１３０を葺く工程を説明するための下葺板の正面図である。
【００９１】
下葺板１３０を葺く工程では、既に説明した通り、下葺板１３０の連結部３２・１３２をタイトフレーム２０の突出部２７に掛止し、下葺板１３０をタイトフレーム２０に連結する。
【００９２】
この工程では、第一に、図９の（ａ）に示すように、連結部３２よりも連結部１３２が下に位置するように下葺板１３０を傾けた状態で、互いに隣り合うタイトフレーム２０の突出部２７の間に、上方から下葺板１３０を下ろす。
【００９３】
第二に、図９の（ｂ）に示すように、突出部２７の水平位置（高さ）と切り欠き３８の水平位置（高さ）とが略同一となるまで下葺板１３０を下ろした後、下葺板１３０を水平方向に移動させ、突出部２７と切り欠き３８とを近づける。このとき、連結部３２は突出部２７からみて上方に位置している。
【００９４】
第三に、図９の（ｃ）に示すように、下葺板１３０を水平方向にさらに移動させることによって、突出部２７に切り欠き３８をくぐり抜けさせる。これにより、突出部２７を連結部１３２の内側（連結部１３２と連結部３２との間の空間）へ相対移動させる。
【００９５】
第四に、図９の（ｄ）に示すように、連結部３２および連結部１３２を、２つの突出部２７のそれぞれに掛止させる。
【００９６】
これにより、容易に連結部１３２を突出部２７に掛止させ、下葺板１３０をタイトフレーム２０に連結することができる。
【００９７】
〔実施形態４〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。
【００９８】
図１０は、本実施形態に係る下葺板の構造を示す正面図である。
【００９９】
本実施形態の下葺板２３０には、予め、本体部３１の上面に板状の断熱材である断熱板４１が設けられている。断熱板４１は、例えば、接着剤によって本体部３１の上面に接着されていてもよい。
【０１００】
実施形態１の折板屋根１００では、下葺板３０を葺いた後に、上葺折板１０と下葺板３０との間に断熱材４０を充填する必要があった。
【０１０１】
また、実施形態１の折板屋根１００では、上葺折板１０と下葺板３０との間に断熱材４０を充填する場合、下葺板３０には連結部が設けられているため、図４の（ａ）に示すように、下葺板３０の連結部の部分で断熱材４０が盛り上がってしまい、断熱材４０を平坦に設けることは容易ではない。
【０１０２】
これに対して、本実施形態の下葺板２３０は、予め本体部３１の上面に断熱板４１が設けられているため、図１０に示すように、連結部３２Ａと連結部３２Ｂとを重ねて下葺板２３０Ａ・２３０Ｂを葺くことによって、断熱効果を付与することができる。そのため、断熱材を充填する工程を省略することができ、作業性を向上させることができる。
【０１０３】
さらに、断熱板４１は、本体部３１Ａ・３１Ｂの上面に設けられており、連結部３２Ａ・３２Ｂの上面には設けられていない。そのため、上葺折板１０と下葺板２３０との間に、平坦に断熱板４１を配置することができる。これにより、断熱材の使用量を低減することができ、コストを低減することができる。
【０１０４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０５】
本発明は、二重構造の折板屋根に利用することができる。
【符号の説明】
【０１０６】
１０  上葺折板
２０、１２０  タイトフレーム
２２  基底部
２３  主軸部
２４  補強部
２６  締結部
２７  突出部
３０  下葺板
３０Ａ  下葺板（第１下葺板）
３０Ｂ  下葺板（第２下葺板）
３２Ａ、３２Ｂ  連結部
３２  連結部（第１連結部）
３３Ａ  重畳部
３３Ｂ  重畳部（第２重畳部）
３４Ａ  非重畳部
３４Ｂ  非重畳部（第２非重畳部）
３５Ｂ  段差
３８  切り欠き
４０  断熱材
５０  鉄骨下地（梁）
１００  折板屋根
１３２  連結部（第２連結部）
【図１】
2016089352.tif 000003
【図２】
2016089352.tif 000004
【図３】
2016089352.tif 000005
【図４】
2016089352.tif 000006
【図５】
2016089352.tif 000007
【図６】
2016089352.tif 000008
【図７】
2016089352.tif 000009
【図８】
2016089352.tif 000010
【図９】
2016089352.tif 000011
【図１０】
2016089352.tif 000012
【図１１】
2016089352.tif 000013